(57)【要約】【課題】軸上色収差を良好に補正して高解像化が図れるとともに、コンパクト化を実現することができる広画角の撮像レンズ系及び撮像装置を提供する。【解決手段】本発明の撮像レンズ系は、水平画角が１３０度以上の広角の撮像レンズ系であって、絞りよりも像側に配置されるレンズは、３枚のレンズを貼り合わせた３枚接合レンズのみであり、３枚接合レンズを構成するレンズを、物体側から順に、接合第１レンズ、接合第２レンズ、接合第３レンズとすると、接合第１レンズの像側レンズ面と接合第２レンズの物体側レンズ面とが貼り合わされており、かつ、接合第２レンズの像側レンズ面と接合第３レンズの物体側レンズ面とが貼り合わされており、接合第１レンズおよび接合第３レンズのアッベ数は３５以下であり、接合第２レンズのアッベ数は５０以上であり、３枚接合レンズは全体として正のパワーを有することを特徴とする。【選択図】図１
2017167253.tif 000002
【特許請求の範囲】
【請求項１】
水平画角が１３０度以上の広角の撮像レンズ系であって、
絞りよりも像側に配置されるレンズは、３枚のレンズを貼り合わせた３枚接合レンズのみであり、
前記３枚接合レンズを構成するレンズを、物体側から順に、接合第１レンズ、接合第２レンズ、接合第３レンズとすると、
前記接合第１レンズの像側レンズ面と前記接合第２レンズの物体側レンズ面とが貼り合わされており、かつ、前記接合第２レンズの像側レンズ面と前記接合第３レンズの物体側レンズ面とが貼り合わされており、
前記接合第１レンズおよび前記接合第３レンズのアッベ数は３５以下であり、前記接合第２レンズのアッベ数は５０以上であり、
前記３枚接合レンズは全体として正のパワーを有することを特徴とする撮像レンズ系。
【請求項２】
物体側から順に、
像側に凹形状で負のパワーを有する第１レンズと、
像側に凹形状で負のパワーを有する第２レンズと、
物体側に凸形状で正のパワーを有する第３レンズと、
負のパワーを有する第４レンズと、
正のパワーを有する第５レンズと、
負のパワーを有する第６レンズと、から構成され、
前記第４レンズが前記接合第１レンズであり、前記第５レンズが前記接合第２レンズであり、前記第６レンズが前記接合第３レンズであり、
前記第４レンズにおける物体側の面の光軸近傍は凸形状であることを特徴とする請求項１に記載の撮像レンズ系。
【請求項３】
前記３枚接合レンズにおける貼り合わせ面のいずれか一方は非球面であることを特徴とする請求項２に記載の撮像レンズ系。
【請求項４】
前記第５レンズは、物体側レンズ面および像側レンズ面のいずれもが凸形状であることを特徴とする請求項２または３に記載の撮像レンズ系。
【請求項５】
前記第４レンズの焦点距離をｆ４、前記第５レンズの焦点距離をｆ５、前記第６レンズの焦点距離をｆ６、レンズ全系の焦点距離をｆとするときに、下記の条件式（１）を満足することを特徴とする請求項２〜４のいずれか一項に記載の撮像レンズ系。
−２．０＜１／（１／ｆ４＋１／ｆ６）／ｆ５＜−０．５    （１）
【請求項６】
請求項１〜５のいずれか一項に記載の撮像レンズ系と、
前記撮像レンズ系の焦点位置に配置された撮像素子と、を有することを特徴とする撮像装置。
【発明の詳細な説明】
【技術分野】
【０００１】
本発明は、撮像レンズ系及び撮像装置に関する。
【背景技術】
【０００２】
監視用途の光学系として、屋内外の安全性を確保する監視カメラ用レンズ系、車外及び車内監視用の車載カメラ用レンズ系などがある。監視用途の光学系には、視界が極めて広く、かつ、高い解像力を有するとともに、さらに、Ｆナンバが２．０と明るい光学系であることが求められる。また、特に、車載カメラ用の撮像レンズ系では、コンパクトさも求められる。
【０００３】
特許文献１には、物体側から順に、正の屈折力を有する第１レンズ群、絞り、、および正の屈折力を有する第２レンズ群からなる撮像レンズ系において、第２レンズ群は、物体側から順に、両面が非球面とされたレンズと、正レンズ、負レンズ、および正レンズを物体側からこの順に接合した３枚接合レンズと、両凸レンズと両凹レンズをこの順に接合した２枚接合レンズまたは像側に凸面を向けた１枚の負のメニスカスレンズと、を組み合わせたものである撮像レンズが記載されている。
【先行技術文献】
【特許文献】
【０００４】
【特許文献１】特開２０１５−００１６４１号公報
【発明の概要】
【発明が解決しようとする課題】
【０００５】
特許文献１に記載の撮像レンズ系は、絞りよりも像側に上記３枚接合レンズを配置させることで軸上色収差を補正することができる。しかしながら、特許文献１に記載の撮像レンズ系では、テレセントリック性を確保するために、絞りよりも像側においてレンズを５枚または６枚配置する構成となり、レンズ枚数が多くなるとともに全長が増大するという問題がある。
【０００６】
本発明は、上述の問題を解決するためなされたものであり、軸上色収差を良好に補正して高解像化が図れるとともに、コンパクト化を実現することができる広画角の撮像レンズ系及び撮像装置を提供することを目的とする。
【課題を解決するための手段】
【０００７】
本発明の撮像レンズ系は、水平画角が１３０度以上の広角の撮像レンズ系であって、絞りよりも像側に配置されるレンズは、３枚のレンズを貼り合わせた３枚接合レンズのみであり、前記３枚接合レンズを構成するレンズを、物体側から順に、接合第１レンズ、接合第２レンズ、接合第３レンズとすると、前記接合第１レンズの像側レンズ面と前記接合第２レンズの物体側レンズ面とが貼り合わされており、かつ、前記接合第２レンズの像側レンズ面と前記接合第３レンズの物体側レンズ面とが貼り合わされており、前記接合第１レンズおよび前記接合第３レンズのアッベ数は３５以下であり、前記接合第２レンズのアッベ数は５０以上であり、前記３枚接合レンズは全体として正のパワーを有することを特徴とする。
【０００８】
本発明の撮像レンズ系では、絞りの像側に、３枚接合レンズを配置し、接合第１レンズおよび接合第３レンズのアッベ数を３５以下、接合第２レンズのアッベ数を５０以上とすることで、軸上色収差を良好に補正することが出来る。
このような３枚接合レンズが全体として負のパワーを有する場合、軸上色収差の補正は良好に出来るものの、全長の増大を抑えるために、３枚接合レンズの像側において撮像素子に集光させるための（テレセントリック性を確保するための）レンズをさらに配置させなくてはならない。これに対し、本発明の撮像レンズ系では、絞りの像側に配置した３枚接合レンズが全体として正のパワーを有することで、全長の増大を抑えるために、３枚接合レンズの像側において撮像素子に集光させるためのレンズを配置しなくても済むので、撮像レンズ系におけるレンズ枚数を減らしコンパクト化が実現できる。
【０００９】
本発明の撮像レンズ系では、物体側から順に、像側に凹形状で負のパワーを有する第１レンズと、像側に凹形状で負のパワーを有する第２レンズと、物体側に凸形状で正のパワーを有する第３レンズと、負のパワーを有する第４レンズと、
正のパワーを有する第５レンズと、負のパワーを有する第６レンズと、から構成され、前記第４レンズが前記接合第１レンズであり、前記第５レンズが前記接合第２レンズであり、前記第６レンズが前記接合第３レンズであり、前記第４レンズにおける物体側の面の光軸近傍は凸形状であることが好ましい。撮像レンズ系をこのような構成にすることで、軸上色収差をより良好に補正することが出来る。
【００１０】
本発明の撮像レンズ系では、前記３枚接合レンズにおける貼り合わせ面のいずれか一方は非球面であることが好ましい。貼り合わせ面のいずれか一方を非球面とすることで、軸上色収差をより良好に補正することが出来る。
【００１１】
本発明の撮像レンズ系では、前記第５レンズは、物体側レンズ面および像側レンズ面のいずれもが凸形状であることが好ましい。第５レンズを凸形状にすることにより３枚接合レンズが正のパワーを発生させるので、テレセントリック性を確保しやすくなる。
【００１２】
本発明の撮像レンズ系では、前記第４レンズの焦点距離をｆ４、前記第５レンズの焦点距離をｆ５、前記第６レンズの焦点距離をｆ６、レンズ全系の焦点距離をｆとするときに、下記の条件式（１）を満足することが好ましい。
−２．０＜１／（１／ｆ４＋１／ｆ６）／ｆ５＜−０．５    （１）
【００１３】
条件式（１）は、第４レンズと第６レンズとの合成焦点距離と、第５レンズの焦点距離と、の比を表す。発明の撮像レンズ系では、条件式（１）の上限値を上回ると、第４レンズと第６レンズとの合成パワーが増大するため、色収差の補正が過剰となり、結像性能の劣化を招く。条件式（１）の下限値を下回ると、第４レンズと第６レンズとの合成パワーが減少するため、色収差補正が不足し、この場合にも結像性能の劣化を招く。
【００１４】
本発明の撮像装置は、上述の撮像レンズ系と、前記撮像レンズ系の焦点位置に配置された撮像素子と、を有することを特徴とする。
【発明の効果】
【００１５】
本発明によれば、軸上色収差を良好に補正して高解像化が図れるとともに、コンパクト化を実現することができる広画角の撮像レンズ系及び撮像装置を提供することができる。
【図面の簡単な説明】
【００１６】
【図１】実施例１に係る撮像レンズ系の断面図である。
【図２】実施例１に係る撮像レンズ系の収差図である。
【図３】実施例２に係る撮像レンズ系の断面図である。
【図４】実施例２に係る撮像レンズ系の収差図である。
【図５】実施例３に係る撮像レンズ系の断面図である。
【図６】実施例３に係る撮像レンズ系の収差図である。
【図７】実施例４に係る撮像レンズ系の断面図である。
【図８】実施例４に係る撮像レンズ系の収差図である。
【図９】実施の形態に係る撮像装置の断面図である。
【発明を実施するための形態】
【００１７】
以下、本発明の実施の形態に係る撮像レンズ系１１の実施例について説明する。
【００１８】
［実施例１］
図１は、実施例１の撮像レンズ系１１の構成を示す図である。図１に示すように、実施例１の撮像レンズ系１１は、物体側から像側に向かって順に、像側に凹形状で負のパワーを有する第１レンズＬ１と、像側に凹形状で負のパワーを有する第２レンズＬ２と、物体側に凸形状で正のパワーを有する第３レンズＬ３と、絞りＳＴＯＰと、像側に凹形状で負のパワーを有する第４レンズＬ４と、物体側および像側に凸形状で正のパワーを有する第５レンズＬ５と、物体側に凹形状で負のパワーを有する第６レンズＬ６と、から構成される。撮像レンズ系１１の結像面はＩＭＧで示されている。
【００１９】
第１レンズＬ１は、負のパワーを有する球面メニスカスレンズである。第１レンズＬ１の物体側レンズ面Ｓ１は正の曲率を有する球面であり、像側レンズ面Ｓ２は正の曲率を有する球面である。物体側レンズ面Ｓ１は物体側に突出する凸形状の曲面部分を有している。像側レンズ面Ｓ２は物体側に窪む凹形状の曲面部分を有している。
【００２０】
第２レンズＬ２は、負のパワーを有する非球面レンズである。第２レンズＬ２の物体側レンズ面Ｓ３は負の曲率を有する非球面であり、像側レンズ面Ｓ４は正の曲率を有する非球面である。物体側レンズ面Ｓ３は光軸Ｚの近傍で像側に突出する凸形状の曲面部分を有している。像側レンズ面Ｓ４は物体側に窪む凹形状の曲面部分を有している。
【００２１】
第３レンズＬ３は、正のパワーを有する非球面レンズである。物体側レンズ面Ｓ５は正の曲率を有する非球面であり、像側レンズ面Ｓ６は負の曲率を有する非球面である。物体側レンズ面Ｓ５は物体側に突出する凸形状の曲面部分を有しており、像側レンズ面Ｓ６は光軸Ｚの近傍で像側に突出する凸形状の曲面部分を有している。
【００２２】
第１レンズＬ１及び第２レンズＬ２は、大きい入射角からの入射光線を少しずつ光軸Ｚに沿った小さい角度に変換してから絞りＳＴＯＰを通過させる働きを有する。第１レンズＬ１及び第２レンズＬ２の像側レンズ面は、光線を拡げるために、双方とも負の曲率を有する。第３レンズＬ３は、物体側に凸形状の正レンズであり、第１レンズＬ１及び第２レンズＬ２で発散された光線を収束させる働きを有する。広角化を達成するために上記の構成が必要であり、１３０度以上の全画角を達成できる。
【００２３】
第４レンズＬ４は、負のパワーを有する非球面レンズである。第４レンズＬ４の物体側レンズ面Ｓ９は正の曲率を有する非球面であり、像側レンズ面Ｓ１０は正の曲率を有する非球面である。物体側レンズ面Ｓ９は光軸Ｚの近傍で物体側に突出する凸形状の曲面部分を有している。像側レンズ面Ｓ１０は物体側に窪む凹形状の曲面部分を有している。
【００２４】
第５レンズＬ５は、正のパワーを有する非球面レンズである。第５レンズＬ５の物体側レンズ面Ｓ１１は正の曲率を有する非球面であり、像側レンズ面Ｓ１２は負の曲率を有する非球面である。物体側レンズ面Ｓ１１は光軸Ｚの近傍で物体側に突出する凸形状の曲面部分を有している。像側レンズ面Ｓ１２は光軸Ｚの近傍で像側に突出する凸形状の曲面部分を有している。
【００２５】
第６レンズＬ６は、負のパワーを有する非球面メニスカスレンズである。第６レンズＬ６の物体側レンズ面Ｓ１３は負の曲率を有する非球面であり、像側レンズ面Ｓ１４は負の曲率を有する非球面である。物体側レンズ面Ｓ１３は像側に窪む凹形状の曲面部分を有している。像側レンズ面Ｓ１４は光軸Ｚの近傍で像側に突出する凸形状の曲面部分を有している。
【００２６】
第４レンズＬ４の像側レンズ面Ｓ１０と第５レンズＬ５の物体側レンズ面Ｓ１１とは接着剤により貼り合わされている。また、第５レンズＬ５の像側レンズ面Ｓ１２と第６レンズＬ６の物体側レンズ面Ｓ１３とは接着剤により貼り合わされている。すなわち、接合第１レンズとしての第４レンズＬ４、接合第２レンズとしての第５レンズＬ５および接合第３レンズとしての第６レンズＬ６の３枚のレンズを貼り合わせることにより、３枚接合レンズを構成する。つまり、本発明にかかる撮像レンズ系１１では、絞りＳＴＯＰよりも像側に配置されるレンズは３枚接合レンズのみである。
【００２７】
ＩＲカットフィルタ１２は、赤外領域の光をカットするためのフィルタである。カバーガラス１３は、撮像素子を保護するためのガラス板である。ＩＲカットフィルタ１２及びカバーガラス１３は、撮像レンズ系１１の設計時には、撮像レンズ系１１と一体として扱われる。しかし、ＩＲカットフィルタ１２及びカバーガラス１３は、撮像レンズ系１１の必須の構成要素ではない。
【００２８】
表１に、撮像レンズ系１１の各レンズ面のレンズデータを示す。レンズデータとしては、各面の曲率半径、面間隔、屈折率及びアッベ数を載せている。「＊印」がついた面は、非球面であることを示している。
【００２９】
【表１】
2017167253.tif 000003
【００３０】
表１において、接合第１レンズとしての第４レンズＬ４のアッベ数は、第４レンズＬ４の物体側のレンズ面である第９面の欄に記載されている２４である。接合第２レンズとしての第５レンズＬ５のアッベ数は、第５レンズＬ５の物体側のレンズ面である第１０面の欄に記載されている５６である。接合第３レンズとしての第６レンズＬ６のアッベ数は、第６レンズＬ６の物体側のレンズ面である第１１面の欄に記載されている２４である。
【００３１】
レンズ面に採用される非球面形状は、ｚをサグ量、ｃを曲率半径の逆数、ｋを円錐係数、ｒを光軸からの光線高さとして、４次、６次、８次、１０次、１２次、１４次、１６次の非球面係数をそれぞれα４、α６、α８、α１０、α１２、α１４、α１６としたときに、次式により表わされる。
【００３２】
【数１】
2017167253.tif 000004
【００３３】
表２に、実施例１の撮像レンズ系１１において、非球面とされたレンズ面の非球面形状を規定するための非球面係数を示す。表２において、例えば「−３．６０２５６Ｅ＋０２」は、「−３．６０２５６×１０２」を意味する。
【００３４】
【表２】
2017167253.tif 000005
【００３５】
本発明の撮像レンズ系では、絞りの像側に、３枚接合レンズを配置し、接合第１レンズとしての第４レンズＬ４および接合第３レンズとしての第６レンズＬ６のアッベ数を３５以下とし、接合第２レンズのアッベ数を５０以上としている。これにより、軸上色収差を良好に補正することが出来る。上述したように、実施例１においてもこの条件を満たしている（表１参照）。
【００３６】
このような３枚接合レンズが全体として負のパワーを有する場合、軸上色収差の補正は良好に出来るものの、全長の増大を抑えるために、３枚接合レンズの像側において撮像素子に集光させるための（テレセントリック性を確保するための）レンズをさらに配置させなくてはならない。これに対し、本発明の撮像レンズ系では、絞りの像側に配置した３枚接合レンズが全体として正のパワーを有することで、全長の増大を抑えるために、３枚接合レンズの像側において撮像素子に集光させるためのレンズを配置しなくても済むので、撮像レンズ系におけるレンズ枚数を減らしコンパクト化が実現できる。
【００３７】
本発明の撮像レンズ系では、３枚接合レンズにおける貼り合わせ面のいずれか一方は非球面であることが好ましい。貼り合わせ面のいずれか一方を非球面とすることで、軸上色収差をより良好に補正することが出来る。実施例１においては、表１に示すように、３枚接合レンズにおける貼り合わせ面の両方とも非球面である。
【００３８】
本発明の撮像レンズ系では、第５レンズは、物体側レンズ面および像側レンズ面のいずれもが凸形状であることが好ましい。第５レンズを凸形状にすることにより３枚接合レンズが正のパワーを発生させるので、テレセントリック性を確保しやすくなる。実施例１においては、図１に示すように、第５レンズは、物体側レンズ面および像側レンズ面のいずれもが凸形状である。
【００３９】
表３に、実施例１の撮像レンズ系１１の特性値を計算した結果を示す。撮像レンズ系１１において、第１レンズＬ１の焦点距離をｆ１、第２レンズＬ２の焦点距離をｆ２、第３レンズＬ３の焦点距離をｆ３、第４レンズＬ４の焦点距離をｆ４、第５レンズＬ５の焦点距離をｆ５、第６レンズＬ６の焦点距離をｆ６、第４レンズＬ４と第５レンズＬ５と第６レンズＬ６との合成焦点距離（３枚接合レンズの合成焦点距離）をｆ4-6、レンズ全系の焦点距離をｆ、としたときのこれらの特性値は、表３に示す通りである。各種の焦点距離は、５４６ｎｍの波長の光線を用いて計算した。
【００４０】
【表３】
2017167253.tif 000006
【００４１】
特性値を計算した結果を示す表中において、１／（１／ｆ４＋１／ｆ６）／ｆ５は、第４レンズと第６レンズとの合成焦点距離と、第５レンズの焦点距離と、の比を表す。本発明の撮像レンズ系では、この比が下記の条件式（１）を満たすように構成するのが好ましい。
−２．０＜１／（１／ｆ４＋１／ｆ６）／ｆ５＜−０．５    （１）
【００４２】
条件式（１）の上限値を上回ると、第４レンズと第６レンズとの合成パワーが増大するため、色収差の補正が過剰となり、結像性能の劣化を招く。条件式（１）の下限値を下回ると、第４レンズと第６レンズとの合成パワーが減少するため、色収差補正が不足し、この場合にも結像性能の劣化を招く。
【００４３】
表３に示すように、実施例１の撮像レンズ系１１は、−２．０＜１／（１／ｆ４＋１／ｆ６）／ｆ５＜−０．５を満たしている。
【００４４】
図２（ａ）〜（ｃ）は、実施例１の撮像レンズ系１１の縦収差図、像面湾曲図、歪曲収差図である。図２（ａ）〜（ｃ）に示すように、実施例１の撮像レンズ系１１では、半画角ωが１０２。５°、Ｆ値が２．０である。図２（ａ）の縦収差図では、横軸は光線が光軸Ｚと交わる位置を示し、縦軸は瞳径での高さを示す。図２（ｂ）の像面湾曲図では、横軸は光軸Ｚ方向の距離を示し、縦軸は像高（画角）を示す。図２（ｂ）において、Ｓａｇはサジタル面における像面湾曲を示し、Ｔａｎはタンジェンシャル面における像面湾曲を示す。図２（ｃ）の歪曲収差図では、横軸は像の歪み量（％）を示し、縦軸は像高（画角）を示す。図２（ａ）〜図２（ｃ）では、波長５４６ｎｍの光線によるシミュレーション結果を示してある。
【００４５】
［実施例２］
図３は、実施例２の撮像レンズ系１１の構成を示す図である。図３に示すように、第１レンズＬ１〜第６レンズＬ６は、実施例１と同様の形状をしている。
【００４６】
表４に、実施例２の撮像レンズ系１１の各レンズ面のレンズデータを示す。
【００４７】
【表４】
2017167253.tif 000007
【００４８】
表４において、接合第１レンズとしての第４レンズＬ４のアッベ数は２４、接合第２レンズとしての第５レンズＬ５のアッベ数は５６、接合第３レンズとしての第６レンズＬ６のアッベ数は２４である。つまり、実施例２において、接合第１レンズとしての第４レンズＬ４および接合第３レンズとしての第６レンズＬ６のアッベ数は３５以下、接合第２レンズのアッベ数は５０以上である。また、３枚接合レンズにおける貼り合わせ面の両方とも非球面である。
【００４９】
表５に、実施例２の撮像レンズ系１１において、非球面とされたレンズ面の非球面形状を規定するための非球面係数を示す。
【００５０】
【表５】
2017167253.tif 000008
【００５１】
表６に、実施例２の撮像レンズ系１１の特性値を計算した結果を示す。
【００５２】
【表６】
2017167253.tif 000009
【００５３】
表６に示すように、実施例２の撮像レンズ系１１は、−２．０＜１／（１／ｆ４＋１／ｆ６）／ｆ５＜−０．５を満たしている。
【００５４】
図４（ａ）〜（ｃ）は、実施例２の撮像レンズ系１１の縦収差図、像面湾曲図、歪曲収差図である。図４（ａ）〜（ｃ）に示すように、実施例２の撮像レンズ系１１では、半画角ωが１０２°、Ｆ値が２．０である。
【００５５】
［実施例３］
図５は、実施例３の撮像レンズ系１１の構成を示す図である。図５に示すように、第１レンズＬ１〜第６レンズＬ６は、実施例１と同様の形状をしている。
【００５６】
表７に、実施例３の撮像レンズ系１１の各レンズ面のレンズデータを示す。
【００５７】
【表７】
2017167253.tif 000010
【００５８】
表７において、接合第１レンズとしての第４レンズＬ４のアッベ数は２４、接合第２レンズとしての第５レンズＬ５のアッベ数は５６、接合第３レンズとしての第６レンズＬ６のアッベ数は２４である。つまり、実施例３において、接合第１レンズとしての第４レンズＬ４および接合第３レンズとしての第６レンズＬ６のアッベ数は３５以下、接合第２レンズのアッベ数は５０以上である。また、３枚接合レンズにおける貼り合わせ面の両方とも非球面である。
【００５９】
表８に、実施例３の撮像レンズ系１１において、非球面とされたレンズ面の非球面形状を規定するための非球面係数を示す。
【００６０】
【表８】
2017167253.tif 000011
【００６１】
表９に、実施例３の撮像レンズ系１１の特性値を計算した結果を示す。
【００６２】
【表９】
2017167253.tif 000012
【００６３】
表９に示すように、実施例３の撮像レンズ系１１は、−２．０＜１／（１／ｆ４＋１／ｆ６）／ｆ５＜−０．５を満たしている。
【００６４】
図６（ａ）〜（ｃ）は、実施例３の撮像レンズ系１１の縦収差図、像面湾曲図、歪曲収差図である。図６（ａ）〜（ｃ）に示すように、実施例３の撮像レンズ系１１では、半画角ωが１０２°、Ｆ値が２．０である。
【００６５】
［実施例４］
図７は、実施例４の撮像レンズ系１１の構成を示す図である。図７に示すように、第１レンズＬ１〜第６レンズＬ６は、実施例１と同様の形状をしている。
【００６６】
表１０に、実施例４の撮像レンズ系１１の各レンズ面のレンズデータを示す。
【００６７】
【表１０】
2017167253.tif 000013
【００６８】
表１０において、接合第１レンズとしての第４レンズＬ４のアッベ数は２４、接合第２レンズとしての第５レンズＬ５のアッベ数は５６、接合第３レンズとしての第６レンズＬ６のアッベ数は２４である。つまり、実施例４において、接合第１レンズとしての第４レンズＬ４および接合第３レンズとしての第６レンズＬ６のアッベ数は３５以下、接合第２レンズのアッベ数は５０以上である。また、３枚接合レンズにおける貼り合わせ面の両方とも非球面である。
【００６９】
表１１に、実施例４の撮像レンズ系１１において、非球面とされたレンズ面の非球面形状を規定するための非球面係数を示す。
【００７０】
【表１１】
2017167253.tif 000014
【００７１】
表１２に、実施例４の撮像レンズ系１１の特性値を計算した結果を示す。
【００７２】
【表１２】
2017167253.tif 000015
【００７３】
表１２に示すように、実施例４の撮像レンズ系１１は、−２．０＜１／（１／ｆ４＋１／ｆ６）／ｆ５＜−０．５を満たしている。
【００７４】
図８（ａ）〜（ｃ）は、実施例４の撮像レンズ系１１の縦収差図、像面湾曲図、歪曲収差図である。図８（ａ）〜（ｃ）に示すように、実施例４の撮像レンズ系１１では、半画角ωが１０２．５°、Ｆ値が２．０である。
【００７５】
［条件式のまとめ］
表１３に、実施例１〜４の撮像レンズ系１１において、条件式（１）のパラメータを計算した結果を示す。
【００７６】
【表１３】
2017167253.tif 000016
【００７７】
［撮像装置への適用例］
図９は、撮像レンズ系１１を用いた撮像装置１０の構成を示す図である。撮像装置１０は、撮像レンズ系１１と、ＩＲカットフィルタ１２と、カバーガラス１３と、撮像素子１４と、を備える。撮像レンズ系１１と、ＩＲカットフィルタ１２と、カバーガラス１３と、撮像素子１４と、は筐体（不図示）に収容されている。
【００７８】
撮像素子１４は、受光した光を電気信号に変換する素子であり、例えば、ＣＣＤイメージセンサやＣＭＯＳイメージセンサが用いられる。撮像素子１４は、撮像レンズ系１１の焦点位置に配置されている。なお、水平画角とは、撮像素子１４の水平方向に対応する画角である。
【００７９】
ＩＲカットフィルタ１２は、赤外領域の光をカットするためのフィルタである。可視光のみがＩＲカットフィルタ１２を通過して撮像素子１４に入射する。カバーガラス１３は、撮像素子１４を異物から保護するために、撮像素子１４上に設けられている。
【００８０】
なお、本発明は上記実施の形態に限られたものではなく、趣旨を逸脱しない範囲で適宜変更することが可能である。例えば、本発明の撮像レンズ系１１の用途は、車載カメラに限定されるものではなく、監視カメラや、携帯電話等の小型電子機器に搭載するカメラ等の他の用途にも用いることができる。
【符号の説明】
【００８１】
１０  撮像装置
１１  撮像レンズ系
１２  ＩＲカットフィルタ
１３  カバーガラス
１４  撮像素子
Ｌ１〜Ｌ６  第１レンズ〜第６レンズ
【図１】
2017167253.tif 000017
【図２】
2017167253.tif 000018
【図３】
2017167253.tif 000019
【図４】
2017167253.tif 000020
【図５】
2017167253.tif 000021
【図６】
2017167253.tif 000022
【図７】
2017167253.tif 000023
【図８】
2017167253.tif 000024
【図９】
2017167253.tif 000025